(57)【特許請求の範囲】
【請求項１】
線速度一定で記録する際に一定周波数が得られる記録基準信号があらかじめ記録されている記録媒体を角速度一定で回転させて線速度一定の記録と同一の形態に記録を行う情報記録装置において，
記録半径位置に応じて周波数が変化する記録基準信号の変化範囲周波数を通過させる第１の帯域通過型濾波器と，
信号を通過させる帯域幅が一定かつ第１の帯域通過型濾波器よりも狭帯域であり、更に、当該帯域の中心周波数が可変の第２の帯域通過型濾波器と，
第１及び第２の帯域通過型濾波器の出力を切り替える切り替え手段と，
該切り替え手段で切り替えた信号を基準として記録クロックを生成するクロック生成手段と，
該第２の帯域通過濾波器出力からアドレス情報を検出するアドレス検出手段と，
該クロック生成手段の生成クロック周波数を検出し第２の帯域通過濾波器の中心周波数を設定する周波数検出手段と，
該記録クロックにより記録データを記録信号に変調する変調手段と，
制御手段とを有し，
初期時には切り替え手段により第１の帯域通過濾波器の出力を選択してクロック生成手段に供給し，アドレス検出手段におけるアドレスが所定数検出できた時点で該切り替え手段を第２の帯域通過濾波器の出力に切り替え，記録クロックの生成を行い，データの記録を行う情報記録装置。
【請求項２】
線速度一定で記録する際に一定周波数が得られる記録基準信号があらかじめ記録されている記録媒体を角速度一定で回転させて線速度一定の記録と同一の形態に記録を行う情報記録装置において，
記録半径位置に応じて周波数が変化する記録基準信号の変化範囲周波数を通過させる第１の通過帯域と，
通過させる帯域幅が一定かつ第１の通過帯域よりも狭帯域の第２の通過帯域とを設定でき，第２の通過帯域の中心周波数が可変できる帯域通過型濾波器と，
該帯域通過濾波器の出力信号を基準として記録クロックを生成するクロック生成手段と，
該帯域通過濾波器出力からアドレス情報を検出するアドレス検出手段と，
該クロック生成手段の生成クロック周波数を検出し帯域通過濾波器の中心周波数を設定する周波数検出手段と，
該記録クロックにより記録データを記録信号に変調する変調手段と，
制御手段とを有し，
初期時には第１の帯域通過濾波器の出力を選択してクロック生成手段に供給し，アドレス検出手段におけるアドレスが所定数検出できた時点で該切り替え手段を第２の帯域通過濾波器の出力に切り替え，記録クロックの生成を行い，データの記録を行う情報記録装置。
【発明の詳細な説明】
【０００１】
【発明の属する技術分野】
本発明は，回転する記録媒体に情報の記録を行う装置に関する。
【０００２】
【従来の技術】
大容量の記録媒体として，CD（Compact Disc）フォーマットでデータを記録するCD-R（CD -Recordable），CD-RW（CD-Rewritable）ディスクが利用されている。また，さらに大容量の記録媒体として，DVD(Digital Versatile Disc)フォーマットでデータを記録するDVD-R(DVD-Recordable)，DVD-RW(DVD-Rewritable) ディスクも利用され始めている。これらの記録媒体は，再生専用のCDプレイヤー，CD-ROM(CD-Read Only Memory)ドライブ，あるいは，DVDプレイヤー，DVD-ROM(DVD-Read Only Memory)ドライブで再生できることが特徴であるため，記録したディスクが再生専用と同じ形態になっている。したがって，記録密度一定とするために，CLV(Constant Linear Velocity) 記録が行われている。CLV記録を実現するためには，記録径位置に応じて回転速度を変化させる必要があるが，正しい線速度であることを確認するために，媒体の記録案内溝を蛇行（ウォブリング）させて記録している。この蛇行周波数（ウォブル周波数）は，線速度一定の場合，一定の周波数となるように設定されており，この周波数を検出することにより線速度一定となる回転制御を実現している。
【０００３】
図６に従来のドライブ装置の構成を示す。再生信号はフィルタ回路２０に入力され，ウォブル周波数成分のみが抽出される。抽出されたウォブル信号は基準クロック２１と比較されウォブル周波数が所定の値となるようにスピンドルモータ３を制御する。ウォブル信号は同時にアドレス復調回路１１に入力され，アドレス情報が検出される。スピンドルモータ３の制御により，ウォブル周波数は一定であるので，フィルタ回路２０は単一の中心周波数とウォブル信号を抽出するための狭帯域の通過特性となっている。
【０００４】
【発明が解決しようとする課題】
CLV記録は前記したように，記録径位置に応じて回転速度を変化させる必要があるため，記録位置を任意に変えながら行うランダムアクセス記録においては，回転整定時間が必要となるため待ち時間が発生する。このような現象は，高速にデータの交換を行うPC(Personal Computer)に接続して使用する際に障害となる。これに対してCAV(Constant Angular Velocity)記録方式は，回転数が常に一定であるためランダムアクセス記録を行っても回転整定時間が生じないため高速な記録が行えることが知られている。したがって，CD-R/RW媒体，DVD-R/RW媒体においてもCAV方式で記録を行えばアクセス性能を改善できるわけであるが，一方，CAVで記録された媒体においてもCLVで記録された媒体と同じ記録状態にする必要があるため，記録径ごとに記録クロック周波数を変化させる必要がある。そのためには，一定回転とした場合に記録径ごとに変化するウォブル周波数を検出し，これに同期した径ごとに周波数が変化する記録クロックを生成するする必要があるが，従来のCLV記録方式では変化するウォブル周波数を検出することができなかった。
【０００５】
【課題を解決するための手段】
第1の解決手段として，変化するウォブル周波数を検出するために，再生信号からウォブル信号を抽出するフィルタとして，通過帯域が広く中心周波数が固定の第１の帯域通過フィルタと，通過帯域が狭く中心周波数が可変の第２の帯域通過フィルタを設ける。
【０００６】
第2の解決手段として，変化するウォブル周波数を検出するために，通過帯域幅と中心周波数が双方とも可変の一つの帯域通過フィルタを設ける。
【０００７】
第１の解決手段において，起動時及び記録位置が大きく変化する場合には，第１のフィルタを通してウォブル信号周波数を検出し，後続回路の基準周波数とする。この検出周波数が中心周波数となるように第２のフィルタを設定し，この第２のフィルタ出力より安定してウォブル周波数が検出できるようになった時点で基準周波数を第２のフィルタ出力に切り替える。これ以降は第２のフィルタ出力の周波数を検出し，その変動に応じて第２のフィルタの中心周波数を変化させ，ウォブル周波数の変化に追随して検出を行う。後続回路で正しく動作が行えなくなった場合はウォブル周波数と第２のフィルタの中心周波数がずれたものと判断し，第１のフィルタ出力に切り替える。シーク時には再び第１のフィルタに切り替えて検出を行う。シーク目標位置のウォブル周波数が想定できる場合には第２のフィルタの中心周波数を目標周波数に設定してシークを行うことも出来る。
【０００８】
第2の解決手段において，起動時及び記録位置が大きく変化する場合には，フィルタの通過帯域を広帯域に設定してウォブル信号周波数を検出し，後続回路の基準周波数とする。検出したウォブル周波数をフィルタの中心周波数に設定し，通過帯域を狭帯域に設定する。後続回路で正しく動作が行えなくなった場合はウォブル周波数とのフィルタの中心周波数がずれたものと判断し，フィルタの通過帯域を広帯域に切り替える。シーク時にはフィルタの通過帯域を広帯域に切り替えて検出を行う。シーク目標位置のウォブル周波数が想定できる場合にはフィルタの中心周波数を目標周波数に設定し通過帯域を狭帯域に設定してシークを行うことも出来る。
【０００９】
【発明の実施の形態】
本発明に基づく光ディスクドライブ装置の第1の実施例を図1に示す。同図において，１は本発明で使用する記録媒体である光ディスク，２は記録及び再生を行う光ピックアップ，３は記録媒体を回転させるスピンドルモータ，４は光ピックアップの出力電流を電圧に変換する電流-電圧変換アンプ（I-Vアンプ），５は電圧変換された光ピックアップ出力から所望の信号を生成するための演算回路，６は再生信号をデータに復元する復調回路，７は本発明による再生信号からウォブル信号を抽出するための第1のフィルタ回路，８は同様に第2のフィルタ回路，９は切り替え回路，１０は記録クロックを生成するPLL（Phase Locked Loop）回路，１１はウォブル信号からアドレス情報（ATIP）を復調するアドレス復調回路，１２はデータから記録信号を生成する変調回路，１３は周波数検出回路，１４はシステム制御を行う制御装置である。光ディスクドライブ装置としては他にも構成要素があるが，本発明には係わらない部分であるので説明及び図示を省略している。図２に第１のフィルタ回路の特性を示す。このフィルタ回路の通過帯域幅は，光ディスク１を所定回転数で回転させた場合に光ピックアップ２が最内周に位置する場合のウォブル周波数から最外周に位置する場合のウォブル周波数まで必要である。第２のフィルタ回路の特性を図３に示す。このフィルタ回路においては，中心周波数の設定範囲が，光ディスク１を所定回転数で回転させた場合に光ピックアップ２が最内周に位置する場合のウォブル周波数から最外周に位置する場合のウォブル周波数まで必要であるが，帯域幅は狭くなっている。第１のフィルタ回路の出力は，抽出するウォブル周波数より広く不要な成分も通過してしまうため，信号対雑音比（ＳＮ比）が良好とはいえずジッタを有している。したがってこの出力を基準信号としてＰＬＬ回路１０で生成される記録クロックもジッタを有しており，このままでは記録に使用するには適さない。一方，第２のフィルタ回路は必要な周波数成分のみを通過させる帯域となっているため，出力のＳＮ比が改善され，ジッタも減少する。ウォブル周波数からアドレス情報を高い確度で復調するためにも高いＳＮ比が必要であり，第2のフィルタ回路の出力がアドレス復調回路１１に入力される。ウォブル周波数値の検出はフィルタ回路の出力でも行えるが，雑音の影響で誤作動することが考えられるので，フィルタ出力から生成される記録クロックを使用するほうが安定である。また，図1においては周波数検出回路の出力を直接第2のフィルタ回路に入力し中心周波数を設定するようになっているが，周波数検出回路の出力を制御装置（マイクロコンピュータ）１４でとりこみ，その値を元にして，制御装置１４からフィルタ回路を設定することもできる。切り替え回路９の制御はアドレス復調回路１１におけるアドレス情報の検出確度やＰＬＬ回路１０における生成クロックの安定度より判定できる。フィルタ回路７からフィルタ回路８への切り替えは，アドレス情報が正しく検出できるようになった時点で行う。フィルタ回路８からフィルタ回路7への切り替えは，アドレス情報が検出できなくなった時点あるいはＰＬＬ回路１０の同期が外れた場合に行う。これらの判定・制御は制御装置１４で行われる。
【００１０】
本発明による第2の実施例を図４に示す。同図において，図1と同じ構成には同じ番号を付して，説明を省略する。本実施例と第1の実施例との違いはフィルタ回路１５にある。フィルタ回路１５は一つのフィルタ回路で広帯域の状態と狭帯域の状態を切り替えで設定できる。このため，外部の切り替え回路は不要となり，出力は常にＰＬＬ回路１０とアドレス復調回路１１に入力される。フィルタ回路１５の広帯域状態の特性は図２の特性と同じであり，狭帯域状態の特性は図３の特性と同じになっている。起動時には，フィルタ回路１５は広帯域状態に設定され，光ピックアップ２がどの位置にあってもウォブル周波数を検出できる。検出したウォブル信号はＰＬＬ回路１０とアドレス復調回路１１に入力され，記録クロックの生成とアドレス情報の復調が行われるが，広帯域であるためＳＮ比が悪く，記録クロックのジッタは大であり，アドレス情報も誤り率が高い状態にある。ここで，フィルタ回路１５の中心周波数を検出したウォブル周波数の値に設定し，通過帯域を狭帯域に切り替えることにより，雑音が減少しＳＮ比が高くなり，低ジッタの記録クロックと低誤り率のアドレス情報が得られる。狭帯域に切り替えた後は，光ピックアップ２の位置の移動による，検出ウォブル周波数の微小変動に応じてフィルタ１５の中心周波数が変化するため，常に安定したウォブル信号を得ることが出来る。何らかの理由で再生ウォブル信号周波数とフィルタ回路１５の中心周波数がずれた場合には，ＰＬＬ１０でクロック生成が行えなくなり，アドレス情報も検出できなくなるので制御装置１４で検知でき，フィルタ１５を広帯域状態に切り替える。
【００１１】
第3の実施例を図５を用いて説明する。この図においても，第１の実施例及び第２の実施例と同一の部分に関しては同一の番号を付し，説明を省略する。この実施例においては，アドレス情報検出が，ウォブル信号から復調されるのではなく，別の再生信号から得られるフォーマットになっている。したがって，フィルタ回路１５の出力はPLL回路１０にだけ供給される。この場合のフィルタ回路１５の広帯域と狭帯域の切り替え判定は，PLL回路１０の安定度の判定によって行われる。すなわち，起動時はフィルタ１５の通過帯域は広帯域になっているため抽出されるウォブル信号のSN比が低いため，PLL回路１０で生成される記録クロックもジッタが多い状態になっている。しかしながら，多少ジッタが多くとも抽出されたウォブル周波数に同期したのであればウォブル周波数が正しく抽出されたものと判断し，判断し，フィルタ回路１５の中心周波数をPLL回路１０で生成された記録クロック周波数に対応した周波数値に設定し，通過帯域を狭帯域に設定する。これにより，抽出ウォブル信号のSN比が向上し，ジッタの小さい記録クロックが生成される。以降の動作は実施例２と同様であり，PLL回路１０がフィルタ１５の出力に同期できなくなった場合には，フィルタ回路１５の中心周波数と，ウォブル周波数とがずれたものと判断し，フィルタ回路１５を広帯域状態設定し，再度引き込み動作を行う。また，別の判定手段として，アドレス復調回路１６におけるアドレス検出状態より判定することも出来る。本実施例においては，アドレス情報を復調する元の信号はフィルタ回路１５を通過しないため，信号品質はフィルタ回路の設定状態に依存しない。しかしながら，アドレス復調にPLL回路１０で生成される記録クロックを使用することにより，アドレス情報の誤り率に記録クロックのジッタ量が反映される。アドレス情報が正しく復調されない場合にはウォブル信号が検出されていない状態と判断しフィルタ回路１５を広帯域状態に設定する。所定の誤り率でアドレス情報が得られるようになった場合にはウォブル信号が抽出されPLL回路１０がこれに同期したものと判断され，フィルタ回路１５の中心周波数を設定し狭帯域状態に設定する。これにより記録クロックのジッタが低下するため，アドレス情報の誤り率も低下する。この状態からアドレス情報の誤り率が増加してきた場合には，ウォブル周波数とフィルタ回路１５の中心周波数がずれ始めていると想定できるので，完全に外れてしまう前に補正することも可能になる。
【００１２】
【発明の効果】
本発明によれば，CLVで記録されることを前提としている記録媒体に対してCAV記録を行う場合において，アドレス情報の検出や記録クロックの生成に必要となるウォブル信号の抽出を可能とし，CAV記録を実現できる。
【図面の簡単な説明】
【図１】本発明による第1の実施例
【図２】第1の実施例における第1のフィルタ回路の通過帯域特性
【図３】第1の実施例における第2のフィルタ回路の通過帯域特性
【図４】本発明による第２の実施例
【図５】本発明による第３の実施例
【図６】従来のドライブ装置
【符号の説明】
１・・・光ディスク，２・・・光ピックアップ，３・・・スピンドルモータ，４・・・IVアンプ，５・・・演算回路，６・・・復調回路，７・・・第１のフィルタ回路，８・・・第２のフィルタ回路，９・・・切り替え装置，１０・・・PLL回路，１１・・・アドレス復調回路，１２・・・変調回路，１３・・・周波数検出回路，１４・・・制御装置。
【図１】
0003890888.tif 000002
【図２】
0003890888.tif 000003
【図３】
0003890888.tif 000004
【図４】
0003890888.tif 000005
【図５】
0003890888.tif 000006
【図６】
0003890888.tif 000007